(57)【特許請求の範囲】
【請求項１】
巻尺テープと、上記巻尺テープが巻装されたリールと、上記リールを回転可能に保持しうるケースと、上記巻尺テープを引き出す際に巻尺テープの回転力を抑制する制動部とを有する巻尺において、
上記制動部は、上記巻尺テープの引き出し方向の回転に伴い、上記巻尺テープの外周側縁部に圧接しうる制動部材を備え、
上記制動部は、上記制動部材を構成する制動バーと、この制動バーの端部が支持されるガイド部とを有すると共に、上記記ケースには、上記リールが回転可能に保持されるリール保持部が設けられ、上記制動バーは、上記ケースの内方において、一端部が上記リール保持部に支持されると共に、他端部が、上記巻尺テープの引き出し方向の回転に伴い、上記制動バーを上記巻尺テープの外周側縁部に圧接可能に接近させうる傾斜部を有するガイド部に支持されていることを特徴とする巻尺。
【請求項２】
上記傾斜部は、上記ケースの厚さ方向に沿って形成され、最高部においては、上記制動バーが上記巻尺テープの外周側縁部に圧接しうると共に、最低部においては、上記制動バーが上記巻尺テープの外周側縁部から離間しうる高さ寸法に形成されていることを特徴とする請求項１記載の巻尺。
【請求項３】
上記制動バーは、一端部が上記リール保持部に支持されると共に、他端部が上記傾斜部に支持された状態で、上記巻尺テープの引き出し方向の回転に伴い最高部へ移動し、巻き取り方向への回転に伴い最低部へ移動しうるように構成されていることを特徴とする請求項１または請求項２いずれか１項に記載の巻尺。
【請求項４】
上記制動バーは、上記巻尺テープの半径方向に沿って設けられ、上記巻尺テープの巻径寸法よりも大きい長さ寸法で形成されていることを特徴とする請求項１から請求項３いずれか１項に記載の巻尺。
【請求項５】
上記制動バーは、金属製であることを特徴とする請求項１から請求項４いずれか１項に記載の巻尺。
【請求項６】
上記制動バーは、細長円筒状に形成されていることを特徴とする請求項１から請求項５いずれか１項に記載の巻尺。
【請求項７】
上記ケースは、互いに所定間隔をおいて配置され、上記リールが回転可能に固定され、上記リールに巻装された上記巻尺テープが内部に収納される一対の側板部を備え、
上記一対の側板部は、上記巻尺テープの両側縁部に対向し、
一方の上記側板部には、上記ガイド部が設けられ、
他方の上記側板部は、上記制動バーが上記巻尺テープの外周側縁部に圧接した場合に上記巻尺テープに圧接されるように配置されていることを特徴とする請求項１から請求項６いずれか１項に記載の巻尺。
【請求項８】
上記側板部の内側面部には、上記巻尺テープを支持しうるリブが設けられ、
上記リブは、上記巻尺テープが回転した場合に上記制動バーの移動を所定位置で阻止しうるように構成されていることを特徴とする請求項１から請求項７いずれか１項に記載の巻尺。
【請求項９】
上記リブは、上記傾斜部の両端部に設けられ、上記制動バーが上記傾斜部の最高部に配置された状態で上記巻尺テープの外周側縁部に圧接しうる高さ寸法で形成されていることを特徴とする請求項８記載の巻尺。
【請求項１０】
上記リール保持部には、内方に向かって切り欠かれた切欠部が設けられ、
上記切欠部は、上記制動バーが上記傾斜部の最高部から最低部へ移動しうる幅寸法で形成され、
上記制動バーの端部が、上記切欠部の底部に支持されていることを特徴とする請求項１から請求項９いずれか１項に記載の巻尺。
【発明の詳細な説明】
【技術分野】
【０００１】
本発明は巻尺に係り、特に、巻尺テープを引き出す際にリールの回転が制動される巻尺に関するものである。
【背景技術】
【０００２】
主に測量の分野において、長さ計測目盛が表示されたテープがケースに巻き込んで収納されている巻尺が利用されており、巻尺は、一般的に、テープ状物差しの巻尺テープと、巻尺テープが巻装されたリールと、リールが回転可能に保持されるケースにより構成されており、巻尺テープをケース外方に引き出して使用し、リールを回転させて巻尺テープをリールに巻き取って収納することができる。
【０００３】
ところで、このような巻尺にあっては、勢いよく巻尺テープを引き出す際にリールに過度の回転力が付与され、リールが巻尺テープに対して空転することにより、巻尺テープがたるんでしまうという問題が生じていた。
巻尺テープがたるんでしまうと、その後の引き出し操作や巻き取り操作を円滑に行うことができなくなるため、引き出し操作の際にリールの回転を制動する必要がある。
【０００４】
このような制動機構を備えた従来例として、以下の巻尺が存在する。
リールに巻装された巻尺テープとケースの間に弾性変形可能なリーフばねを挟着させ、そのリーフばねを巻尺テープの側縁部に常時圧接することにより、リールの回転を制動する巻尺（特許文献１参照）が存在する。
また、巻尺テープの巻外周に交差するガイドが対向して延設されると共に、ガイド間に転子が遊嵌されており、転子が自重により巻尺テープの巻外周の大きさに対応してガイドに沿ってスライドし、巻外周に回動自在に当接されるようになされた空転防止機構付巻尺（特許文献２参照）が存在する。
また、リールの中心部に設けられると共に、リールの回転と一体的に回転する斜面カムを有し、リールが引き出し方向に回転した場合には、斜面カムが登り方向に作動して巻尺テープに摩擦抵抗による制動をかけ、リールが巻取り方向に回転した場合には、斜面カムが降り方向に作動して制動を解除するように構成された巻尺（特許文献３参照）が存在する。
【０００５】
しかしながら、特許文献１及び２にあっては、巻尺テープを引き出す場合だけでなく、巻き取る場合であっても、制動を受けるように構成されているため、巻き取る際に余分な負荷を受けてしまうため、円滑に巻尺テープを巻取ることができない。
さらに、特許文献１にあっては、リーフばねの反発弾性力により巻尺テープが常時付勢されていることから、この付勢力により巻尺テープが磨耗するだけでなく、リーフばねの付勢力が経年的に低下し易くなるため、長期間の使用に耐えることができない。
また、特許文献２にあっては、転子の自重を利用して制動するように構成されており、転子を巻尺テープの回転中心方向へ引張し、巻尺テープ表面に圧接させる手段は存在しないことから、制動力が小さいという不具合があった。
特許文献３にあっては、巻尺テープを巻き取る場合に制動を受けることはなくなるが、斜面カムがリールの中心部に設けられ、リールの中心部において制動を付与するように構成されていることから、長尺の巻尺テープを使用して巻径が大きくなった場合には、巻尺テープの半径寸法は大きくなり、引き出し時の回転力が大きくなるため、この回転力を制動するだけの大きな制動力を得ることが困難である、という不具合が存していた。
また、大きな制動力を付与した場合には、巻尺テープを大量に引き出すことにより巻径が小さくなって、引き出し時の回転力が小さくなると、大きな制動力に抗する力で引き出さなければならないため、引き出し時の大きな負担になってしまう。
したがって、従来の巻尺にあっては、リールの回転を効果的に制動することができなかった。
【特許文献１】実公昭５６−７８４１号公報
【特許文献２】特開平０５−１６４５０２号公報
【特許文献３】特許２８３２５２５号公報
【発明の開示】
【発明が解決しようとする課題】
【０００６】
そこで、本発明の課題は、巻尺テープの巻径に関わらず、巻尺テープを引き出す際に効果的な制動を付与することができる巻尺を提供することにある。
【課題を解決するための手段】
【０００７】
上記目的を達成するために、請求項１記載の発明は、巻尺テープと、上記巻尺テープが巻装されたリールと、上記リールを回転可能に保持しうるケースと、上記巻尺テープを引き出す際に巻尺テープの回転力を抑制する制動部とを有する巻尺において、上記制動部は、上記巻尺テープの引き出し方向の回転に伴い、上記巻尺テープの外周側縁部に圧接しうる制動部材を有することを特徴とする。
【０００８】
また、上記制動部は、上記制動部材を構成する制動バーと、この制動バーの端部が支持されるガイド部とを有することを特徴とする。
【０００９】
また、上記ケースには、上記リールが回転可能に保持されるリール保持部が設けられ、上記制動バーは、上記ケースの内方において、一端部が上記リール保持部に支持されると共に、他端部が、上記巻尺テープの引き出し方向の回転に伴い、上記制動バーを上記巻尺テープの外周側縁部に圧接可能に接近させうる傾斜部を有するガイド部に支持されていることを特徴とする。
【００１０】
即ち、請求項１記載の本発明に係る巻尺にあっては、巻尺テープを引き出した場合に最も回転トルクの大きい巻尺テープの外周側縁部において制動力を付与するように構成されている。
【００１１】
また、巻尺テープの回転に合わせて制動バーを巻尺テープの外周側縁部に圧接させうるガイド部を有している。
【００１２】
また、請求項２記載の発明は、上記傾斜部は、上記ケースの厚さ方向に沿って形成され、最高部においては、上記制動バーが上記巻尺テープの外周側縁部に圧接しうると共に、最低部においては、上記制動バーが上記巻尺テープの外周側縁部から離間しうる高さ寸法に形成されている。
【００１３】
即ち、請求項２記載の本発明に係る巻尺にあっては、制動バー及び巻尺テープの寸法に合わせて傾斜部の寸法が設定されるように構成されている。
【００１４】
また、請求項３記載の発明は、上記制動バーは、一端部が上記リール保持部に支持されると共に、他端部が上記傾斜部に支持された状態で、上記巻尺テープの引き出し方向の回転に伴い最高部へ移動し、巻き取り方向への回転に伴い最低部へ移動しうるように構成されている。
【００１５】
即ち、請求項３記載の本発明に係る巻尺にあっては、制動バーが、巻き取り方向への回転に伴って傾斜部の最低部へ移動することにより、巻尺テープと制動バーの距離を離間させることができるように構成されている。
【００１６】
また、請求項４記載の発明は、上記制動バーは、上記巻尺テープの半径方向に沿って設けられ、上記巻尺テープの巻径よりも大きい長さ寸法で形成されている。
【００１７】
即ち、請求項４記載の本発明に係る巻尺にあっては、巻尺テープが完全に巻き取られて巻径が大きくなった場合であっても、巻尺テープの外周側縁部を圧接することができるように構成されている。
【００１８】
また、請求項５記載の発明は、上記制動バーは、金属製であることを特徴とする。
【００１９】
また、請求項６記載の発明は、上記制動バーは、細長円筒状に形成されていることを特徴とする。
【００２０】
また、請求項７記載の発明は、上記ケースは、互いに所定間隔をおいて配置され、上記リールが回転可能に固定され、上記リールに巻装された上記巻尺テープが内部に収納される一対の側板部を備え、上記一対の側板部は、上記巻尺テープの両側縁部に対向し、一方の上記側板部には、上記ガイド部が設けられ、他方の上記側板部は、上記制動バーが上記巻尺テープの外周側縁部に圧接した場合に上記巻尺テープに圧接されるように配置されている。
【００２１】
即ち、請求項７記載の本発明に係る巻尺にあっては、巻尺テープを制動バーと側板部により挟み込んで圧接するように構成されている。
【００２２】
また、請求項８記載の発明は、上記側板部の内側面部には、上記巻尺テープを支持しうるリブが設けられ、上記リブは、上記巻尺テープが回転した場合に上記制動バーの移動を所定位置で阻止しうるように構成されている。
【００２３】
また、請求項９記載の発明は、上記リブは、上記傾斜部の両端部に設けられ、上記制動バーが上記傾斜部の最高部に配置された状態で上記巻尺テープの外周側縁部に圧接しうる高さ寸法で形成されている。
【００２４】
即ち、請求項９記載の本発明に係る巻尺にあっては、引き出し及び巻き取り操作を複数回行った場合に、制動バーがリブよりも前出して巻尺テープの外周側縁部に圧接しうるようにリブが設けられている。
【００２５】
また、請求項１０記載の発明は、上記リール保持部には、内方に向かって切り欠かれた切欠部が設けられ、上記切欠部は、上記制動バーが上記傾斜部の最高部から最低部へ移動しうる幅寸法で形成され、上記制動バーの端部が、上記切欠部の底部に支持されている。
【００２６】
即ち、請求項１０記載の本発明に係る巻尺にあっては、制動バーが、リールの外周面に巻装されている巻尺テープの内周側縁部を圧接しうるように設けられている。
【発明の効果】
【００２７】
請求項１記載の本発明に係る巻尺は、制動部が巻尺テープを引き出す際に巻尺テープの外周側縁部を圧接しうるように構成されていることから、巻尺テープを引き出す際にリール及び巻尺テープの回転を制動することができる。
したがって、請求項１記載の発明にあっては、巻尺テープを引き出した場合に最も回転トルクの大きい巻尺テープの外周側縁部において制動力を付与するように構成されていることから、引き出しを停止した後の上記リール及び巻尺テープの空転を有効に阻止することができるため、巻尺テープがたるむことなく引き出し操作や巻き取り操作を円滑に行うことができる。
また、巻尺テープを引き出す場合にのみ巻尺テープと接触するように構成されていることから、圧接が不要な場合に圧接を解除できるため、過度の圧接状態により巻尺テープが磨耗する事態を回避することができる。したがって、巻尺テープの長寿命化を図ることができる。
【００２８】
また、制動部材として制動バーを設けるように構成されていることから、少ない部品点数で巻尺テープの回転を制動することができるため、製造コストを低減することができる。
【００２９】
また、巻尺テープの回転に合わせて制動バーを巻尺テープの外周側縁部に圧接させうるガイド部を有していることから、余分な操作を行うことなく、巻尺テープを引き出すだけで巻尺テープの回転を制動することができる。
したがって、巻尺テープがたるむことを気にすることなく、引き出し操作を円滑に行うことができる。
【００３０】
また、請求項２記載の本発明に係る巻尺は、制動バー及び巻尺テープの寸法に合わせて傾斜部の寸法が設定されることから、巻尺テープを引き出す方向に回転した場合に、制動バーにより巻尺テープの外周側縁部を常時圧接することができ、巻尺テープを巻き取る方向に回転した場合に、圧接状態を常時解除することができるため、巻尺テープに対して制動の付与及び解除を確実に行うことができる。
【００３１】
また、請求項３記載の本発明に係る巻尺は、制動バーが、巻き取り方向への回転に伴って傾斜部の最低部へ移動することにより、巻尺テープと制動バーの距離を離間させることができる。
したがって、巻尺テープを巻き取る際に圧接状態を軽減することができるため、負荷を受けずに円滑に巻き取ることができる。
【００３２】
また、請求項４記載の本発明に係る巻尺は、巻尺テープが完全に巻き取られて巻径が大きくなった場合であっても、巻尺テープの外周側縁部を圧接することができるように構成されているため、巻尺テープの長さに左右されることなく、確実に巻尺テープの外周側縁部に制動力を付与して回転を制動することができる。
【００３３】
また、請求項５記載の本発明に係る巻尺は、制動バーが金属製であるため、大きな制動をかけた場合であっても制動バーが弾性変形することがない。
さらに、金属製の制動バーは、磨耗し難いことから、制動バーの長寿命化を図りつつ効果的に巻尺テープの回転を制動することができる。
【００３４】
また、請求項６記載の本発明に係る巻尺は、制動バーが細長円筒状に形成され、制動バーが傾斜部上を転動することができるように構成されているため、巻尺テープの引き出し及び巻き取り操作時における制動バーの移動を円滑に行うことができる。
したがって、巻尺テープに対して制動の付与及び解除を確実に行うことができる。
また、細長円筒状の制動バーは、巻尺テープに圧接した場合にも引っ掛かることがないことから、巻尺テープの磨耗を防止することができるため、巻尺テープの長寿命化を図ることができる。
【００３５】
また、請求項７記載の本発明に係る巻尺は、巻尺テープを制動バーと側板部により挟み込んで圧接するように構成されていることから、側板部を利用して巻尺テープの回転を効果的に制動することができる。
【００３６】
また、請求項８及び９記載の本発明に係る巻尺は、制動バーを傾斜部以外で移動する事態を防止するようにリブが設けられていることから、引き出し及び巻き取り操作を複数回行った場合であっても、制動バーは傾斜部上の所定位置に配置される。
また、リブの高さ寸法は、制動バーが傾斜部の最高部に配置されている場合に巻尺テープを圧接しうる寸法で形成されているため、巻尺テープの回転を確実に制動することができる。
したがって、巻尺テープの回転に対する制動の付与及び解除を安定して行うことができる。
【００３７】
また、請求項１０記載の本発明に係る巻尺は、制動バーが、リールの外周面に巻装されている巻尺テープの内周側縁部を圧接しうるように設けられているため、巻尺テープを大量に引き出すことにより巻径が小さくなった場合でも確実に巻尺テープの外周側縁部を圧接することができる。
したがって、巻尺テープの巻径に合わせて効果的に巻尺テープの回転を制動することができる。
【発明を実施するための最良の形態】
【００３８】
以下、図面を用いて本発明を実施するための最良の形態について説明する。
本発明の巻尺１０は、図１〜図３に示すように、巻尺テープ１１と、上記巻尺テープ１１が巻装されたリール１２と、上記リール１２を回転可能に保持しうるケース１３と、上記巻尺テープ１１を引き出す際に巻尺テープ１１の回転力を抑制する制動部１４とを有し、上記制動部１４は、上記巻尺テープ１１の引き出し方向Ｒ１の回転に伴い、上記巻尺テープ１１の外周側縁部１５ａに圧接しうる制動部材１６を有する。
【００３９】
また、上記制動部１４は、図３及び図４に示すように、上記制動部材を構成する制動バー１６と、この制動バー１６の端部１７が支持されるガイド部１８とを有する。
【００４０】
また、上記ケース１３には、図１、図３、図４に示すように、上記リール１２が回転可能に保持されるリール保持部１９が設けられ、上記制動バー１６は、上記ケース１３の内方において、一端部２０が上記リール保持部１９に支持されると共に、他端部１７が、上記巻尺テープ１１の引き出し方向Ｒ１の回転に伴い、上記制動バー１６を上記巻尺テープ１１の外周側縁部１５ａに圧接可能に接近させうる傾斜部２２を有するガイド部１８に支持されている。
【００４１】
また、上記傾斜部２２は、図７及び図８に示すように、上記ケース１３の厚さ方向に沿って形成され、最高部２３においては、上記制動バー１６が上記巻尺テープ１１の外周側縁部１５ａに圧接しうると共に、最低部２４においては、上記制動バー１６が上記巻尺テープ１１の外周側縁部１５ａから離間しうる高さ寸法Ｌ１，Ｌ２に形成されている。
【００４２】
また、上記制動バー１６は、図１及び図４に示すように、一端部２０が上記リール保持部１９に支持されると共に、他端部１７が上記傾斜部２２に支持された状態で、上記巻尺テープ１１の引き出し方向Ｒ１の回転に伴い最高部２３へ移動すると共に、巻き取り方向Ｒ２への回転に伴い最低部２４へ移動しうるように構成されている。
【００４３】
また、上記制動バー１６は、図３に示すように、上記巻尺テープ１１の半径方向に沿って設けられ、上記巻尺テープ１１の巻径寸法Ｌ３よりも大きい長さ寸法Ｌ４で形成されている。
【００４４】
また、上記制動バー１６は、金属製である。
【００４５】
また、上記制動バー１６は、図４及び図７に示すように、細長略円筒状に形成されている。
【００４６】
上記ケース１３は、図１に示すように、互いに所定間隔をおいて配置され、上記リール１２が回転可能に固定され、上記リール１２に巻装された上記巻尺テープ１１が内部に収納される一対の側板部２５，２６を備え、上記一対の側板部２５，２６は、上記巻尺テープ１１の両側縁部１５ａ，１５ｂに対向し、一方の上記側板部２５には、上記ガイド部１８が設けられ、他方の上記側板部２６は、上記制動バー１６が上記巻尺テープ１１の外周側縁部１５ａに圧接した場合に上記巻尺テープ１１に圧接されるように配置されている。
【００４７】
また、上記側板部２５の内側面部２１には、図１及び図６に示すように、上記巻尺テープ１１を支持しうるリブ２７が設けられ、上記リブ２７は、上記巻尺テープ１１が回転した場合に上記制動バー１６の移動を所定位置で阻止しうるように構成されている。
【００４８】
また、上記リブ２７ａ，２７ｂは、図４、図６、図８に示すように、上記傾斜部２２の両端部２３，２４に設けられ、上記制動バー１６が上記傾斜部２２の最高部２３に配置された状態で上記巻尺テープ１１の外周側縁部１５ａに圧接しうる高さ寸法Ｌ５で形成されている。
【００４９】
また、上記リール保持部１９には、図１及び図６に示すように、内方に向かって切欠部２８が設けられ、上記切欠部２８は、上記制動バー１６が上記傾斜部２２の最高部２３から最低部２４へ移動しうる幅寸法Ｌ６で形成され、上記制動バー１６の端部２０が、上記切欠部２８の底部２９に支持されている。
【実施例１】
【００５０】
以下、図面を用いて本発明の実施例１に係る巻尺１０について説明する。
本実施例に係る巻尺１０は、図１〜図３に示すように、巻尺テープ１１と、上記巻尺テープ１１が巻装されたリール１２と、上記リール１２を回転可能に保持しうるケース１３と、上記リール１２を回転操作しうる巻取ハンドル部３０と、上記巻尺テープ１１を引き出す際に巻尺テープ１１の回転力を抑制する制動部１４により構成されている。
【００５１】
上記巻尺テープ１１は、一般的に使用される略帯状の長尺の物差しであり、図７に示すように、表面に目盛が付されている。なお、長さは、３０ｍ、５０ｍ、１００ｍのものが一般的に用いられている。
また、上記巻尺テープ１１は、図１〜図３に示すように、基端部５３が上記リール１２に固定された状態で、上記リールの外周面に沿って巻装され、先端部３１が上記ケース１３の外方に引き出されるように構成されている。
上記先端部３１には、図２及び図３に示すように、上記巻尺テープ１１よりも厚く形成された先端カバー３２が取り付けられている。
【００５２】
上記リール１２は、平面略円形状に形成されており、厚さ寸法Ｌ７は、図１に示すように、上記巻尺テープ１１の幅寸法Ｌ８と略同一である。
上記リール１２の軸心には、図１に示すように、挿通固定軸部３３が設けられ、先端部３４が径大となるように形成されている。
【００５３】
上記ケース１３は、図１〜図３に示すように、互いに所定間隔をおいて配置され、上記リール１２が回転可能に固定され、上記リール１２に巻装された上記巻尺テープ１１が内部に収納される一対の側板部２５，２６と、上記一対の側板部２５，２６から延設された延設把持部３５と、上記側板部２５，２６における上記延設把持部３５とは反対方向端部に設けられたテープ引出部３６により構成されている。
【００５４】
上記側板部２５，２６は、図１〜図３に示すように、側面略Ｙ字状に形成され、上記巻尺テープ１１が上記リール１２により内部で回転しうるようにわずかに離間して設けられている。
一方の上記側板部２５には、図３に示すように、上記リール１２を回転可能に保持しうるリール保持部１９が設けられ、上記リール保持部１９から上記テープ引出口３６に向かって、一方の上記側板部２５の厚さ方向において貫通した一方側貫通口３７が形成されている。
他方の上記側板部２６には、図２に示すように、平面略中央部において、厚さ方向に貫通するハンドル挿通口３８が設けられ、上記ハンドル挿通口３８の上記テープ引出口３６の方向には、他方の上記側板部２６の厚さ方向において貫通した他方側貫通口３９が形成されている。
【００５５】
上記リール保持部１９は、図１、図３、図６に示すように、平面略円形状に形成され、一方の上記側板部２５の平面略中央において、上記ケースの厚さ方向内方に向かって膨出して設けられている。
上記リール保持部１９の直径寸法Ｌ９は、図１に示すように、上記リール１２の直径寸法Ｌ１０と略同一である。
上記リール保持部１９の平面略中央部には、厚さ方向に貫通する挿通固定孔部４０が設けられ、上記挿通固定孔部４０に上記挿通固定軸部３３が挿通されている。
また、上記挿通固定孔部４０が上記挿通固定軸部３３の先端部３４を挿通できない程度の大きさで形成されていることにより、上記リール１２が上記リール保持部１９に回転可能に保持されるように構成されている。
【００５６】
上記リール保持部１９には、図６に示すように、内方に向かって切り欠かれた切欠部２８が形成されている。
上記切欠部２８は、図１及び図６に示すように、平面略台形状に形成され、上記リール保持部１９の厚さ方向全域に形成されている。
【００５７】
一方の上記側板部２５の内側面部２１には、図６に示すように、上記巻尺テープ１１を支持しうる複数のリブ２７が形成され、複数の上記リブ２７は、上記リール保持部１９から上記ケース１３に沿って略放射状に設けられている。
上記リブ２７は、高さ寸法が上記リール保持部の厚さ寸法と略同一に形成され、図６に示すように、一方の上記側板部２５の端縁部に至るまで形成されている。
【００５８】
上記延設把持部３５は、図２及び図３に示すように、輪郭形状が平面略台形状に形成され、手で把持しうる把持部４１と、手を挿入しうる挿入空間部４２により構成されている。
上記延設把持部３５は、厚さ方向において半分に分割可能に形成されており、一方の延設把持部は一方の上記側板部２５と一体成形され、他方の延設把持部は他方の上記側板部２６と一体成形されている。
上記把持部４１には、外周面に沿って巻回された巻回ゴム４３が設けられ、上記巻回ゴム４３は、把持した際にグリップとして機能する。
上記延設把持部３５と上記側板部２５の接続部位には、上記ケースの厚さ方向に沿って形成された外周壁部４４を有している。
【００５９】
上記テープ引出部３６は、図２及び図３に示すように、上記巻尺テープ１１の表面を支持しうるテープ支持部４５と、上記テープ支持部４５と離間して設けられ、上記巻尺テープ１１の引き出し及び巻き取り操作と連動して回転しうるローラー４６により構成され、上記テープ支持部４５と上記ローラー４６の間に上記巻尺テープ１１が挿通されている。
上記テープ支持部４５と上記ローラー４６は、上記先端カバー３２が挿通されない程度に離間して配置されている。
【００６０】
上記巻取ハンドル部３０は、図１及び図２に示すように、上記ハンドル挿通口３８を介して上記リール１２に取り付けられたハンドル基部４７と、上記ハンドル基部４７に取り付けられ、上記ケース１３の外方に向かって設けられたハンドル軸部４８と、上記ハンドル軸部４８の先端部４９に取り付けられたツマミ５０により構成されている。
上記ハンドル基部４７は、平面略円形状に形成され、上記リール１２と一体的に回転しうるように取り付けられている。
また、図示を省略するが、上記ハンドル基部４７の内部には、ギヤ部が設けられ、上記ギヤ部は、外周内側面に設けられた外周ギヤと、上記リールと同一軸線上に設けられ、上記リールと一体的に回転する内周ギヤと、上記外周ギヤと上記内周ギヤの間に設けられ、上記ハンドル基部の回転力を上記内周ギヤに伝達する３個の遊星ギヤにより構成され、上記３個の遊星ギヤの回動軸部は、上記ハンドル基部に固定されている。
上記ハンドル軸部４８は、図１及び図２に示すように、細長板状に形成され、基端部５１が、上記ケース１３の厚さ方向に回動しうるように取り付けられている。
上記ツマミ５０は、図１に示すように、全体略円柱形状に形成され、上記ハンドル軸部４８の先端部４９から側方に向かって設けられている。
【００６１】
上記制動部１４は、図１〜図３に示すように、上記巻尺テープ１１の引き出し方向Ｒ１の回転に伴い、上記巻尺テープ１１の外周側縁部１５ａに圧接しうる制動バー１６と、上記制動バー１６の端部１７が支持されるガイド部１８により構成されている。
上記ガイド部１８は、図１、図３、図４に示すように、一方の上記側板部２５の内側面部２１において、上記リブ２７ａ，２７ｂとの間に挟まれるように設けられ、上記巻尺テープ１１の外周側縁部１５ａに沿って形成されている。
上記ガイド部１８は、図４に示すように、上記外周壁部４４に当接して設けられている。
上記ガイド部１８には、図４に示すように、一方の上記側板部２５の厚さ方向に対して傾斜した傾斜部２２が設けられ、上記傾斜部２２における最高部２３及び最低部２４は、上記リブ２７と当接して設けられている。
【００６２】
上記制動バー１６は、金属製であり、図４、図７、図８に示すように、細長円筒状に形成されている。
上記制動バー１６は、図３に示すように、上記巻尺テープ１１の半径方向に沿って設けられ、上記巻尺テープ１１の巻径寸法Ｌ３よりも大きい長さ寸法Ｌ４で形成され、上記ケース１３の内方において、一端部２０が上記切欠部２８の底部２９に支持されると共に、他端部１７が上記傾斜部２２に支持されるように配置されている。
上記制動バー１６は、図１に示すように、他端部１７に向かうにしたがって、一方の上記側板部２５から離間するように傾斜して設けられている。
【００６３】
上記のように構成された制動部１４は、図７及び図８に示すように、上記制動バー１６が、上記巻尺テープ１１の引き出し方向Ｒ１の回転に伴って、上記傾斜部２２における最高部２３へ移動し、巻き取り方向Ｒ２への回転に伴って、上記傾斜部２２における最低部２４へ移動するように構成されている。
上記最低部２４の高さ寸法Ｌ２は、図７に示すように、上記制動バー１６が最低部２４に配置されている場合に、上記制動バー１６と上記巻尺テープ１１の側縁部１５ａが離間しうる寸法で形成されている。
上記最高部２３の高さ寸法Ｌ１は、図８に示すように、上記制動バー１６が上記巻尺テープ１１の側縁部１５ａに圧接しうるように構成されている。
また、図３に示すように、圧接状態を構成する上記制動バー１６の配置は、上記巻尺テープ１１の巻径Ｌ３により異なるように構成されており、上記巻尺テープ１１が十分に上記リール１２に巻き取られて巻径寸法Ｌ３が大きく形成されている場合には、図１に示すように、上記制動バー１６は、最低部２４から最高部２３に至るまでの所定位置５２において上記巻尺テープ１１の側縁部１５ａを圧接し、上記巻尺テープ１１が大量に引き出されて巻径寸法Ｌ３が小さくなって形成されている場合には、図９に示すように、上記制動バー１６は、上記傾斜部２２における最高部２３に配置された状態で、上記巻尺テープ１１の側縁部１５ａを圧接するように構成されている。
上記ガイド部１８を挟むように配置されている上記リブ２７ａ，２７ｂは、図４及び図８に示すように、上記制動バー１６の上記傾斜部２２からの脱落を防止しうると共に、上記制動バー１６が上記傾斜部２２の最高部２３に配置されている場合においては、上記巻尺テープ１１の側縁部１５ａに圧接しうる高さ寸法Ｌ５で形成されている。
他方の上記側板部２６は、図１及び図８に示すように、上記制動バー１６が上記巻尺テープ１１の側縁部１５ａに圧接した場合に、上記巻尺テープ１１の側縁部１５ｂに圧接されるように配置されている。
上記切欠部２８は、図６に示すように、上記制動バー１６が上記傾斜部２２の最高部２３から最低部２４へ移動しうる幅寸法Ｌ６で形成されている。
【００６４】
以下、本実施例の作用について説明する。
本実施例に係る巻尺１０は、図１に示すように、制動部１４が巻尺テープ１１を引き出す際に巻尺テープ１１の外周側縁部１５ａを圧接しうるように構成されていることから、巻尺テープ１１を引き出す際にリール１２及び巻尺テープ１１の回転を制動することができる。
したがって、巻尺テープ１１を引き出した場合に最も回転トルクの大きい巻尺テープ１１の外周側縁部１５ａにおいて制動力を付与するように構成されていることから、引き出しを停止した後の上記リール１２及び巻尺テープ１１の空転を有効に阻止することができるため、巻尺テープ１１がたるむことなく引き出し操作や巻き取り操作を円滑に行うことができる。
【００６５】
また、図７及び図８に示すように、巻尺テープ１１の回転に合わせて制動バー１６を巻尺テープ１１の外周側縁部１５ａに圧接させうるガイド部１８を有していることから、余分な操作を行うことなく、巻尺テープ１１を引き出すだけで巻尺テープ１１の回転を制動することができる。
【００６６】
また、巻尺テープ１１を巻き取る方向Ｒ２に回転させた場合には、図７に示すように、制動バー１６は最低部２４に配置され、制動バー１６と巻尺テープ１１の外周側縁部１５ａは、互いに離間して配置されるように構成されている。
この場合、巻尺テープ１１の外周側縁部１５ｂと他方の側板部２６についても同様に、互いに離間して配置されるように構成されている。
上記の状態において、巻尺テープ１１を引き出す方向Ｒ１に回転させた場合には、図８に示すように、制動バー１６に引き出す方向Ｒ１へ移動する力が働き、制動バー１６は、巻尺テープ１１の外周側縁部１５ａを圧接した状態で最高部２３の方向へ移動する。
制動バー１６が最高部２３の方向へ移動するに従って、制動バー１６と巻尺テープは、制動バー１６が巻尺テープ１１の外周側縁部１５ａを圧接した状態で、他方の側板部２６の方向に移動し、他方の側板部２６が巻尺テープ１１の外周側縁部１５ｂに圧接される。
したがって、制動バー１６と他方の側板部２６により巻尺テープの両側縁部１５ａ，１５ｂを挟み込んで巻尺テープの回転を制動することができる。
再び巻尺テープ１１を巻き取る方向Ｒ２に回転させた場合には、図７に示すように、制動バー１６に巻き取る方向Ｒ２へ移動する力が働き、制動バー１６は最低部２４に配置され、制動バー１６と巻尺テープ１１の外周側縁部１５ａは、互いに離間して配置される。
【００６７】
図７及び図８に示すように、制動バー１６及び巻尺テープ１１の寸法に合わせて傾斜部２２の最高部の高さ寸法Ｌ１及び最低部の高さ寸法Ｌ２が設定されることから、巻尺テープ１１を引き出す方向に回転した場合に、制動バー１６により巻尺テープ１１の外周側縁部１５ａを常時圧接することができ、巻尺テープ１１を巻き取る方向に回転した場合に、圧接状態を常時解除することができる。
【００６８】
また、制動バー１６の長さ寸法Ｌ４は、図３に示すように、巻尺テープ１１が完全に巻き取られて巻径Ｌ３が大きくなった場合であっても、巻尺テープ１１の外周側縁部１５ａを圧接することができるように構成されている。
【００６９】
また、他方の側板部２６は、制動バー１６により巻尺テープの側縁部１５ａを圧接した場合には、図１に示すように、巻尺テープ１１の側縁部１５ｂにより圧接されるように配置されていることから、巻尺テープの両側縁部１５ａ，１５ｂを挟み込むことにより回転を効果的に制動することができる。
【００７０】
また、図４及び図６に示すように、制動バー１６を傾斜部２２以外で移動する事態を防止するようにリブ２７ａ，２７ｂが設けられていることから、引き出し及び巻き取り操作を複数回行った場合であっても、制動バー１６は傾斜部２２上の所定位置５２に配置される。
また、図８に示すように、リブ２７の高さ寸法Ｌ５は、制動バー１６が傾斜部２２の最高部２３に配置されている場合に巻尺テープ１１の外周端縁部１５ａを圧接しうる寸法で形成されているため、巻尺テープ１１の回転を確実に制動することができる。
【産業上の利用可能性】
【００７１】
本発明は、主に巻尺に適用可能である。
【図面の簡単な説明】
【００７２】
【図１】本発明に係る巻尺の一実施の形態を示し、巻径の大きい巻尺テープを引き出す際の支持棒と巻尺テープの関係を示す横断面図である。
【図２】本発明に係る巻尺の一実施の形態を示す正面図である。
【図３】本発明に係る巻尺の一実施の形態を示す背面図である。
【図４】本発明に係る巻尺の一実施の形態を示し、支持棒がガイド部にガイドされる状態を示す斜視図である。
【図５】本発明に係る巻尺の一実施の形態を示し、巻尺テープを巻き取る際の支持棒と巻尺テープの関係を示す横断面図である。
【図６】本発明に係る巻尺の一実施の形態を示し、一方の側板部の裏面を示す平面図である。
【図７】本発明に係る巻尺の一実施の形態を示し、巻尺テープを巻き取る際の支持棒と巻尺テープの関係を示す回転方向断面図である。
【図８】本発明に係る巻尺の一実施の形態を示し、巻尺テープを引き出す際の支持棒と巻尺テープの関係を示す回転方向断面図である。
【図９】本発明に係る巻尺の一実施の形態を示し、巻径の小さい巻尺テープを引き出す際の支持棒と巻尺テープの関係を示す横断面図である。
【符号の説明】
【００７３】
１０ 巻尺
１１ 巻尺テープ
１２ リール
１３ ケース
１４ 制動部
１５ａ、１５ｂ 巻尺テープの外周側縁部
１６ 制動バー（制動部材）
１７ 制動バーの他端部
１８ ガイド部
１９ リール保持部
２０ 制動バーの一端部
２１ 一方の側板部の内側面部
２２ 傾斜部
２３ 最高部
２４ 最低部
２５ 一方の側板部
２６ 他方の側板部
２７、２７ａ、２７ｂ リブ
２８ 切欠部
２９ 切欠部の底部
３０ 巻取ハンドル部
３１ 巻尺テープの先端部
３２ 先端カバー
３３ 挿通固定軸部
３４ 挿通固定軸部の先端部
３５ 延設把持部
３６ テープ引出部
３７ 一方側貫通口
３８ ハンドル挿通口
３９ 他方側貫通口
４０ 挿通固定孔部
４１ 把持部
４２ 挿入空間部
４３ 巻回ゴム
４４ 外周壁部
４５ テープ支持部
４６ ローラー
４７ ハンドル基部
４８ ハンドル軸部
４９ ハンドル軸部の先端部
５０ ツマミ
５１ ハンドル軸部の基端部
５２ 最低部から最高部に至るまでの所定位置
５３ 巻尺テープの基端部
Ｒ１ 引き出し方向
Ｒ２ 巻き取り方向
Ｌ１ 最高部の高さ寸法
Ｌ２ 最低部の高さ寸法
Ｌ３ 巻尺テープの巻径寸法
Ｌ４ 制動バーの長さ寸法
Ｌ５ リブの高さ寸法
Ｌ６ 切欠部の幅寸法
Ｌ７ リールの厚さ寸法
Ｌ８ 巻尺テープの幅寸法
Ｌ９ リール保持部の直径寸法
Ｌ１０ リールの直径寸法
【図１】
0004755493.tif 000002
【図２】
0004755493.tif 000003
【図３】
0004755493.tif 000004
【図４】
0004755493.tif 000005
【図５】
0004755493.tif 000006
【図６】
0004755493.tif 000007
【図７】
0004755493.tif 000008
【図８】
0004755493.tif 000009
【図９】
0004755493.tif 000010